(57)【特許請求の範囲】
【請求項１】
一端に水、湯、または混合水の吐出・止水機能と流量調整機能を有する切替ハンドルを設けるとともに、他端に混合水の温度調節機能を有する温調ハンドルを設けた筒状の水栓本体が壁に設置されており、この水栓本体の内部に、前記切替ハンドルと接続可能な切替ユニットと、前記温調ハンドルと接続可能な温調ユニットとが装入される一方、前記温調ユニットの端部は、前記切替ユニットの端部に接続可能に構成され、また、前記水栓本体は、湯接続口と水接続口を背面側に有するとともに、水、湯、または混合水の吐水管接続口およびシャワーホース接続口をそれぞれ下面側および背面側に有し、前記吐水管接続口への水、湯、または混合水の供給と停止、あるいは、前記シャワーホース接続口への水、湯、または混合水の供給と停止を前記切替ハンドルの前記吐水管接続口の側、あるいは、前記シャワーホース接続口の側への切替操作によって行うように構成され、前記吐水管接続口、シャワーホース接続口とは別に第３の接続口を前記水栓本体の上面側に設け、前記第３の接続口に、給水ホースの継手が着脱自在に接続可能な簡易着脱機構を有する継手を設け、
さらに、前記両継手は、両者が接続されている場合は、前記第３の接続口から前記給水ホースへ水、湯、または混合水が吐出可能となり、前記両継手が接続されていない場合は、止水状態が確保可能となるよう構成されているとともに、前記簡易着脱機構を有する継手を覆うキャップが前記水栓本体の上面側に設けたヒンジにより開閉可能に構成されているサーモ型湯水混合水栓において、
前記キャップがその下方開口を斜め上方に向けながら開状態になるよう構成される一方、前記キャップを閉じる際に開状態の前記キャップが壁側に向かって回動するのを許容するよう前記ヒンジを前記第３の接続口の前面側に設けたことを特徴とするサーモ型湯水混合水栓。
【請求項２】
前記切替ユニットは、前記吐水管接続口に連通する連通穴と前記シャワーホース接続口に連通する連通穴を有し、更に、前記第３の接続口に連通する連通穴を有し、前記切替ハンドルの切替操作によって前記吐水管接続口、前記シャワーホース接続口あるいは前記第３の接続口への前記水、湯、または混合水の供給と停止をそれぞれ行うように構成してある請求項１に記載のサーモ型湯水混合水栓。
【請求項３】
前記第３の接続口への前記水、湯、または混合水の供給と停止が前記切替ハンドルの切替操作とは無関係に行われるよう構成してある請求項１に記載のサーモ型湯水混合水栓。
【請求項４】
前記第３の接続口に設けられた前記簡易着脱機構を有する継手は、筒状のケースを有し、この筒状のケースは前記第３の接続口に接続可能であり、また、前記簡易着脱機構を有する継手は、前記筒状のケース内に、ばねによって軸方向上側に付勢された開閉弁体としてのスピンドルと、前記筒状のケースの入口に設けた環状の弁座を有し、前記ばねの付勢力で前記スピンドルが弁座に当接することによって前第３の接続口が閉じるよう構成されている一方、
前記給水ホースの継手は、前記筒状のケースに接続可能であり、前記給水ホースの継手を前記簡易着脱機構を有する継手に接続することにより前記スピンドルを前記ばねの付勢力に抗して軸方向下側に移動させて前記弁座から前記スピンドルを離間させる押圧体を有する請求項１ないし請求項３のいずれかに記載のサーモ型湯水混合水栓。
【請求項５】
浴室に設置される請求項１ないし請求項４のいずれかに記載のサーモ型湯水混合水栓。
【発明の詳細な説明】
【０００１】
【発明の属する技術分野】
この発明は、吐水管接続口、シャワーホース接続口とは別に第３の接続口を水栓本体に設けてなる新規なサーモ型湯水混合水栓に関するものである。
【０００２】
【従来の技術】
浴室には、吐水管接続口の側、あるいは、前記シャワーホース接続口の側への水、湯、または混合水の供給と停止を切替ユニットに接続されている切替ハンドルで操作できるとともに、温調ユニットに接続されている温調ハンドルによって給湯温度の調整が行われるサーモ型湯水混合水栓が設置されている。前記吐水管接続口およびシャワホース接続口は、それぞれ、筒状の水栓本体の下面位置および背面位置に形成されており、前記切替ユニットと温調ユニットは前記水栓本体内に組み込まれている。
【０００３】
前記サーモ型湯水混合水栓は、温調ユニット内に設けたサーモバルブを介して給水側流路と給湯側流路とに連通する混合流路を温調ユニットおよび切替ユニットにわたり備えており、温調ユニットで温調された混合水は前記混合流路から切替ハンドルで開閉操作される例えばセラミックディスクよりなる弁体を介して前記吐水管接続口、あるいは、シャワホース接続口へ供給されたり、供給停止が行われたりする。
【０００４】
【発明が解決しようとする課題】
ところで、混合水や熱湯（以下、お湯という）を散水して浴室内を洗うためにはお湯を略真っ直ぐに勢いよく吐出させるジェットの散水パターンを持つ散水ノズルを利用するのが好ましいが、そのような散水ノズルは浴室には設けられていない。また、シャワホースに連設されているシャワヘッドが例えばマッサージシャワの散水パターンを持たない場合は、マッサージシャワ付きのものに取り替える必要がある。
【０００５】
この発明は、浴室に既設されているシャワヘッドを取り替えることなく、異なる散水パターンのシャワを利用できるとともに、浴室内を散水ノズルで洗うことができるというように既設のシャワヘッドとは目的の異なる散水器具が直ぐに利用できるとともに、更には前記散水器具に連設される給水ホースとは異なる他の給水ホースをも利用できるサーモ型湯水混合水栓を提供することを目的とする。
【０００６】
【課題を解決するための手段】
上記目的を達成するために、この発明は、一端に水、湯、または混合水の吐出・止水機能と流量調整機能を有する切替ハンドルを設けるとともに、他端に混合水の温度調節機能を有する温調ハンドルを設けた筒状の水栓本体が壁に設置されており、この水栓本体の内部に、前記切替ハンドルと接続可能な切替ユニットと、前記温調ハンドルと接続可能な温調ユニットとが装入される一方、前記温調ユニットの端部は、前記切替ユニットの端部に接続可能に構成され、また、前記水栓本体は、湯接続口と水接続口を背面側に有するとともに、水、湯、または混合水の吐水管接続口およびシャワーホース接続口をそれぞれ下面側および背面側に有し、前記吐水管接続口への水、湯、または混合水の供給と停止、あるいは、前記シャワーホース接続口への水、湯、または混合水の供給と停止を前記切替ハンドルの前記吐水管接続口の側、あるいは、前記シャワーホース接続口の側への切替操作によって行うように構成され、前記吐水管接続口、シャワーホース接続口とは別に第３の接続口を前記水栓本体の上面側に設け、前記第３の接続口に、給水ホースの継手が着脱自在に接続可能な簡易着脱機構を有する継手を設け、
さらに、前記両継手は、両者が接続されている場合は、前記第３の接続口から前記給水ホースへ水、湯、または混合水が吐出可能となり、前記両継手が接続されていない場合は、止水状態が確保可能となるよう構成されているとともに、前記簡易着脱機構を有する継手を覆うキャップが前記水栓本体の上面側に設けたヒンジにより開閉可能に構成されているサーモ型湯水混合水栓において、
前記キャップがその下方開口を斜め上方に向けながら開状態になるよう構成される一方、前記キャップを閉じる際に開状態の前記キャップが壁側に向かって回動するのを許容するよう前記ヒンジを前記第３の接続口の前面側に設けている。
【０００７】
【発明の実施の形態】
以下にこの発明の実施の形態について説明する。なお、この発明はそれによって限定されるものではない。
【０００８】
図１〜図４は、切替ハンドルの切替操作による水、湯、または混合水の供給と停止を、吐水管接続口、シャワーホース接続口あるいは第３の接続口といった三つの接続口に対して行えるように構成してあるこの発明の第１の実施形態を示す。
【０００９】
図１〜図４において、１は、浴室Ｂの洗い場に面した壁Ｗの下部に設置されているサーモ型湯水混合水栓Ｓの水栓本体である。この水栓本体は、筒状で、一端に水、湯、または混合水の吐出・止水機能と流量調整機能を有する切替ハンドル２が設けられており、他端に混合水の温度調節機能を有する温調ハンドル３が設けられている。前記水栓本体１は、一端に切替ユニット装入用の開口１ａを有する一方、他端に温調ユニット装入用の開口１ｂを有する。９０は浴槽である。
【００１０】
そして、前記水栓本体１は、湯配管（図示せず）に連通するよう湯配管用継手７が着脱可能に装着された湯接続口（湯取入れ口）８と、水配管（図示せず）に連通するよう水配管用継手９が着脱可能に装着された水接続口（水取入れ口）１０と、Ｌ字型のシャワーホース用継手１１が着脱可能に装着された水、湯、または混合水のシャワーホース接続口１２とを背面側に有するとともに、下面側に、吐水管用継手１３が着脱可能に装着された水、湯、または混合水の吐水管接続口１４を有する。
【００１１】
更に、この実施形態では、前記吐水管接続口１４、シャワーホース接続口１２とは別に第３の接続口６０を水栓本体１の上面側に設けている。そして、この実施形態では前記第３の接続口６０に給水ホース６９を介して散水器具６６が接続できるように構成されている。前記散水器具６６として、ミスト、フレア（拡散水）、ジェット、シャワ、じょうろの各散水パターンに切り替え可能に構成された散水ノズル（例えば特願平１１−３３６８２６号明細書・図面参照）を挙げることができる。この散水ノズル６６は、ノズル本体６８に対し回転不能でノズルヘッド６７の回転により軸方向に進退移動するスピンドルを有し、このスピンドルの進退移動により前記各散水パターンを得ることができる。
【００１２】
４は、前記切替ハンドル２と接続可能な切替ユニットで、前記開口１ａを介して水栓本体１の内部に水栓本体１の軸心Ａと同軸になるよう挿入配置される。１５は、切替ユニット４のケースで、筒状である。このケース１５は、筒状の水栓本体１の内壁に０リングなどのシール部材１５ａを介して固定されている。
【００１３】
５は、前記温調ハンドル３と接続可能な温調ユニットで、前記開口１ｂを介して水栓本体１の内部に水栓本体１の軸心Ａと同軸になるよう挿入配置される。
【００１４】
前記温調ユニット５は筒状のケース４０を有し、このケース４０の内側端部５ａは、Ｏリング６を介して切替ユニット４のケース１５の内側端部４ａに接続可能に構成されている。この実施形態では前記内側端部４ａ内に前記内側端部５ａが着脱可能に嵌込まれている。そして、温調ユニット５のケース４０の内部には、サーモワックスを内蔵したサーモエレメント（図示せず）が固定設置されている。そして、ケース４０は、胴部に、湯接続口８に連通するよう湯接続口８の直下流に位置する単一の湯取入れ孔４０ａを有する。図４において、Ｈは、湯接続口８から、ケース４０に形成された前記湯取入れ孔４０ａに至る給湯側通路を示す。一方、水接続口１０に連通する水取入れ孔４０ｂがケース４０の胴部の周囲に複数個形成されている。この複数個の水取入れ孔４０ｂは、水栓本体１と、両ケース４０，１５との間に形成される略環状の流路を介して水接続口１０に連通している。図４において、Ｒは、水接続口１０から前記略環状の流路を介して、ケース４０に形成された複数の前記水取入れ孔４０ｂに至る給水側通路を示す。
【００１５】
そして、給湯側通路Ｈの湯と給水側通路Ｒの水はケース４０内で混合され、図４に示すように、混合流路ｉとなって前記内側端部５ａと内側端部４ａの接続箇所内を通り、ケース１５に内蔵した弁機構９９の回動部材５０（後述する）により形成される内空間Ｓ（図２参照）に至る。
【００１６】
前記弁機構９９は、切替ハンドル２によって切替操作されるもので、前記内空間Ｓから吐水管接続口１４、シャワーホース接続口１２あるいは第３の接続口６０へ水、湯、または混合水を供給したり、供給停止したりする機能を持つ。
【００１７】
１６は、切替ユニット４のケース１５の胴部における背面側に設けた連通穴で、シャワーホース接続口１２に連通する。１６ａは、切替ユニット４のケース１５の胴部における下面側に設けた連通穴で、吐水管接続口１４に連通する。また、１６ｂは、切替ユニット４のケース１５の胴部における上面側に設けた連通穴で、第３の接続口６０に連通する。そして、前記連通穴１６，１６ａ．１６ｂは、図３に示すように同一面上で一列に配置されており、切替ユニット４のケース１５は、連通穴１６と連通穴１６ａを中心角で９０°離れた状態で胴部に有するとともに、連通穴１６と連通穴１６ｂを中心角で９０°離れた状態で胴部に有する。
【００１８】
前記温調ユニット５は、図示はしないがサーモエレメントとピストンを具備し、前記サーモエレメントが混合水の温度を感温するとサーモワックスが膨張して前記ピストンを押し出し、サーモバルブ本体の位置を変化させることにより、湯取入れ孔４０ａのすき間（ケース４０を通る給湯側通路Ｈのすき間）と水取入れ孔４０ｂのすき間（ケース４０を通る給水側通路Ｒのすき間）とが調整されるようになっており、温調ハンドル３によって混合水の温度を任意に設定することができる。
【００１９】
温調ユニット５の自動温度調節動作は以下の通りである。
温調ハンドル３を水栓本体１の軸心Ａまわりに回動させて所定温度に設定すると、混合流路ｉを通る所定温度の混合水が吐水管６３、シャワヘッド６５に連設されているシャワーホース６４あるいは散水器具６６に連設されているホース６９へ流れる。
【００２０】
そして、混合水の温度が所定温度より上昇した場合、これをサーモエレメントが感温してサーモエレメント内のサーモワックスが膨張してサーモエレメントを温調ハンドル３の側に移動させ、サーモバルブ本体がケース４０内への給湯側通路Ｈを狭めるとともに、ケース４０内への給水側通路Ｒを広げる。これにより、混合水の温度が下がり、所定温度に調節できる。一方、混合水の温度が所定温度より降下した場合、これをサーモエレメントが感温してサーモエレメント内のサーモワックスが収縮してサーモエレメントを切替ハンドル２の側に移動させサーモバルブ本体がケース４０内への給湯側通路Ｈを広げるとともに、ケース４０内への給水側通路Ｒを狭める。これにより、混合水の温度が上がり、所定温度に調節できる。
【００２１】
２０は、水栓本体１と、水栓本体１と同径の筒状の切替表示リング体２１とを接続する接続部材で、水栓本体１の前記開口１ａを形成する内周端面に設けた雌ねじ２２に螺合する雄ねじ部２３と、切替表示リング体２１を外嵌させる嵌合部２４とを有する。
【００２２】
４１は、水栓本体１と、水栓本体１と同径の筒状の温調表示リング体４２とを接続するとともに、弁体（図示せず）を内蔵した温調ガイド体で、水栓本体１の前記開口１ｂを形成する内周端面に設けた雌ねじ２２’に螺合する雄ねじ部４４と、温調表示リング体４２を外嵌・係止させる嵌合係止部４５とを有する。
【００２３】
以下、弁機構９９について説明する。
【００２４】
弁機構９９は切替ユニット４のケース１５に内蔵されている。前記弁機構９９は、水栓本体１の軸心Ａまわりに回動して水、湯、または混合水の流路を湯水混合室Ｓから吐水管接続口１４、シャワーホース接続口１２あるいは第３の接続口６０に連通させる金属製で筒状の回動部材５０と、この回動部材５０の胴部５０ａを覆うゴム製で筒状の固定部材５１とよりなる。前記回動部材５０と固定部材５１は、切替ユニット４内において水栓本体１の軸心Ａに中心を一致させた状態で設置されている。前記回動部材５０は、切替ハンドル２と回動部材５０を接続する切替ハンドル軸５６とともに回転するよう構成されている。この回動部材５０は、前記胴部５０ａの一部を円周方向に切欠いて形成されてなる切欠穴５７を有する。そして、この切欠穴５７が、回動部材５０の回動によって連通穴１６に整合したり、連通穴１６ａに整合したり、あるいは、連通穴１６ｂに整合する。  なお、図３において、Ｆは、一列配置されている前記連通穴１６，１６ａ．１６ｂの端側の位置および前記内側端部４ａの端面位置との間の領域を示す。すなわち、前記領域Ｆは、ケース１５における、回動部材５０の切欠穴５７の位置と前記内側端部４ａの端面位置との間の領域を示す。
【００２５】
更に、前記固定部材５１は、ケース１５に設けた連通穴１６，１６ａ，１６ｂにそれぞれ連通する穴部５３，５３ａ，５３ｂを有する状態でケース１５の内周面側に固定されている。
【００２６】
前記切欠穴５７は、切替ハンドル２の切替え操作により前記穴部５３，５３ａ，５３ｂを介して連通穴１６，１６ａ，１６ｂそれぞれ連通する。図２は、切欠穴５７が、穴部５３および連通穴１６を介してシャワーホース接続口１２に連通している状態が示されている一方、図２には、前記内空間Ｓの混合流路ｉが、弁機構９９を介してシャワーホース接続口１２からシャワーホース６４に至る流路Ｔ1 となることが示されている。また、図４には、前記内空間Ｓの混合流路ｉが、弁機構９９を介して吐水管接続口１４から吐水管用継手１３内を通り吐水管６３に至る流路Ｔ2 となることが示されている。更に、図４には、前記内空間Ｓの混合流路ｉが、弁機構９９を介して第３の接続口６０から継手７０，７４（後述する）内を通り散水器具６６に至る流路Ｔ3 となることが示されている。
【００２７】
次に、第３の接続口６０に、散水器具６６に連設される給水ホース６９を接続する接続機構について説明する。
【００２８】
７０は、簡易着脱機構を持った継手で、第３の接続口６０にねじ結合により取り付けられている。この継手７０は、筒状のケース７１内に、ばね７２によって軸方向上側に付勢された開閉弁体としてのスピンドル７３と、ケース７１の入口７１ａに設けた環状の弁座８０を有する。すなわち、ばね７２の付勢力で前記スピンドル７３が弁座８０に当接することによって第３の接続口６０は常時閉じられており、たとえ切替ハンドル２の切替え操作により誤って切欠穴５７および第３の接続口６０間が連通しても止水状態を確保できる。８４は、水栓本体１の上面側に設けたヒンジ８４ａにより開閉可能に構成されたキャップで、前記継手７０を覆う機能を有する。前記キャップ８４はその下方開口Ｌを斜め上方に向けながら開状態となっている。前記継手７０は、ケース７１の下部に形成された外ねじｍを有する一方、第３の接続口６０は、上部に、前記外ねじｍに螺合する内ねじｎを有する。
【００２９】
７４は、散水器具６６に連設される給水ホース６９の上流端に設けた継手で、この継手７４が前記継手７０に着脱自在に装着される。この実施形態では、ケース７１の入口側における表面に形成された外ねじ８１に螺合する内ねじを継手７４を有する。すなわち、継手７４は、前記スピンドル７３に対応する位置に、弁座８０からスピンドル７３を離間させる押圧体（図示せず）有する。そして、図２に示す状態から、キャップ８４を開けた後、継手７４を継手７０にねじ込むことにより前記スピンドル７３をばね７２の付勢力に抗して軸方向下側に移動させて弁座８０からスピンドル７３を離間させる押圧体を継手７４は有する。
【００３０】
而して、浴室Ｂ内をお湯で洗うにあたり、ジェットの散水パターンを持つ散水ノズル６６を水栓本体１に容易に接続することができる。そして、切替ハンドル２を第３の接続口６０の側に切替え、かつ、温調ハンドル３を所定温度に設定するだけで散水ノズル６６から混合水を略真っ直ぐに勢いよく吐出させることができる。
【００３１】
また、シャワホース６４に連設されているシャワヘッド６５が例えばマッサージシャワの散水パターンを持たない場合は、マッサージシャワ付きのシャワヘッドに連設されている継手７４付きのシャワホースを前記継手７０に着脱自在に装着するだけで、シャワヘッド６５を取り替えることなくマッサージシャワを行うことができる。
【００３２】
このように、シャワヘッド６５、吐水管６３の他に散水ノズル６６やマッサージシャワ付きのシャワヘッド等の散水器具を水栓本体１に容易に取り付けることができるため、浴室Ｂでのお湯の利用目的の幅を広くできる。
【００３３】
図５、図６は、切替ハンドル２の切替操作とは無関係に、前記第３の接続口６０への前記水、湯、または混合水の供給と停止が行われるよう構成してあるこの発明の第２の実施形態を示す。なお、図５、図６において、図１〜図４に示す符号と同一のものは同一または相当物である。また、上記第１の実施形態の説明で用いた図３も参照して第２の実施形態を以下に説明する。
【００３４】
ケース１５は、連通穴１６および連通穴１６ａを上記第１の実施形態と同様にそれぞれ背面および下面に有する一方、図３に二点鎖線で示すように、第３の接続口６０に連通する連通穴１６ｄを前記領域Ｆに有する。すなわち、上記第１の実施形態では、第３の接続口６０に連通する連通穴１６ｂと連通穴１６，１６ａとが一列配列されていたが、この第２の実施形態では、連通穴１６ｂよりケース１５の内側端部４ａの側に変位した上面位置に、第３の接続口６０に連通する連通穴１６ｄが形成されている。そのため、固定部材５１は、連通穴１６，１６ａにそれぞれ連通する穴部５３，５３ａだけを持っており、回動部材５０の前記内空間Ｓから混合流路ｉが連通穴１６ｄに連通しないように固定部材５１には仕切り壁部分５１ｄが形成されている。
【００３５】
そして、給湯側通路Ｈの湯と給水側通路Ｒの水はケース４０内で混合され、図６に示すように、混合流路ｉとなって前記内側端部５ａと内側端部４ａの接続箇所内を通り、ケース１５に内蔵した弁機構９９の回動部材５０により形成される内空間Ｓに至る場合には、前記内空間Ｓの前記混合流路ｉが、弁機構９９を介してシャワーホース接続口１２からシャワーホース６４に至る流路Ｔ1 となったり、前記内空間Ｓの前記混合流路ｉが、弁機構９９を介して吐水管接続口１４から吐水管用継手１３内を通り吐水管６３に至る流路Ｔ2 となったりする。
【００３６】
一方、給湯側通路Ｈの湯と給水側通路Ｒの水はケース４０内で混合され、ケース４０の前記内側端部５ａとケース１５の前記内側端部４ａの接続箇所内を通り、前記連通穴１６ｄを通った混合流路ｉ’は、第３の接続口６０に連通することになる。図６における流路Ｔ3 は、弁機構９９を通るのではなく連通穴１６ｄを通った混合流路ｉ’が第３の接続口６０から継手７０，７４内を通り散水器具６６に至る流路を示す。
【００３７】
なお、上記各実施形態では、第３の接続口６０に散水器具６６に連設される給水ホース６９を接続したものを示したが、この発明は、給水ホース６９とは異なる他の給水ホースも利用できる。
【００３８】
例えば、浴室をサウナにする際等に使用されるミスト噴霧器に連設される給水ホースを第３の接続口６０に接続できる。つまり、ミストを噴霧する前記ミスト噴霧器は浴室の洗い場に載置されるが、従来では浴室に設置されているサーモ型湯水混合水栓の吐水管からお湯を、前記ミスト噴霧器に連設される給水ホースを介して前記ミスト噴霧器に導入するのに対し、この発明の上記第１の実施形態では、切替ハンドル２を第３の接続口６０の側に切替えることにより、吐水管６３からではなく第３の接続口６０からお湯を前記ミスト噴霧器に導入できる。
【００３９】
また、この発明の上記第２の実施形態では、吐水管６３から、あるいは、シャワヘッド６５から水、湯、または混合水を吐出しながらでも、第３の接続口６０からお湯を前記ミスト噴霧器に導入できる。
【００４０】
更に、この発明は、弁機構９９に代えてセラミックディスクよりなる弁体を用いた場合にも適用できることは言うまでもない。
【００４１】
【発明の効果】
以上説明したようにこの発明では、浴室に既設されているシャワヘッドを取り替えることなく、異なる散水パターンのシャワを利用できるとともに、浴室内を散水ノズルで洗うことができるというように既設のシャワヘッドとは目的の異なる散水器具が直ぐに利用できるとともに、更には前記散水器具に連設される給水ホースとは異なる他の給水ホースをも利用できるサーモ型湯水混合水栓を提供することができる。
【図面の簡単な説明】
【図１】  この発明の第１の実施形態における使用状態を示す全体斜視図である。
【図２】  上記実施形態においてシャワーホース接続口の側への切替操作が行われている状態を示す要部構成説明図である。
【図３】  上記実施形態における要部分解斜視図である。
【図４】  上記実施形態において切替ハンドルの切替による吐水管接続口、シャワーホース接続口あるいは第３の接続口の側への各流路を示す図である。
【図５】  この発明の第２の実施形態を示す要部構成説明図である。
【図６】  上記第２の実施形態において切替ハンドルの切替による吐水管接続口あるいはシャワーホース接続口の側への各流路と、第３の接続口の側への流路を示す図である。
【符号の説明】
１…水栓本体、２…切替ハンドル、３…温調ハンドル、４…切替ユニット、４ａ…切替ユニットの端部、５…温調ユニット、５ａ…温調ユニットの端部、８…湯接続口、１０…水接続口、１２…シャワーホース接続口、１４…吐水管接続口、６０…第３の接続口、６６…散水器具、６９…給水ホース、７０…簡易着脱機構を有する継手、７４…給水ホースの継手、８４…キャップ、８４ａ…ヒンジ、Ｌ…下方開口、Ｓ…サーモ型湯水混合水栓。
【図１】
0004046984.tif 000002
【図２】
0004046984.tif 000003
【図３】
0004046984.tif 000004
【図４】
0004046984.tif 000005
【図５】
0004046984.tif 000006
【図６】
0004046984.tif 000007